Podtech/llm-jp-corpus-v4-ja_patent huggingface dataset:
【手続補正書】
【提出日】平成23年5月25日(2011.5.25)
【手続補正１】
【補正対象書類名】特許請求の範囲
【補正対象項目名】全文
【補正方法】変更
【補正の内容】
【特許請求の範囲】
【請求項１】
I-CreIの19位のグリシン(G19)、54位のフェニルアラニン(F54)、87位のフェニルアラニン(F87)、79位のセリン(S79)、105位のバリン(V105)及び132位のイソロイシン(I132)からなる群より選択される少なくとも1つのアミノ酸残基を部位特異的突然変異させることを含むことを特徴とする、I-CreI由来メガヌクレアーゼの切断活性を増強させる方法。
【請求項２】
19位のグリシンがセリン(G19S)又はアラニン(G19A)に変更され、54位のフェニルアラニンがロイシン(F54L)に変更され、87位のフェニルアラニンがロイシン(F87L)に変更され、79位のセリンがグリシン(S79G)に変更され、105位のバリンがアラニン(V105A)に変更され、132位のイソロイシンがバリン(I132V)に変更される請求項１に記載の方法。
【請求項３】
G19、F54、F87、S79、V105及びI132から選択される少なくとも2つのアミノ酸残基が、I-CreI由来メガヌクレアーゼの同じ単量体中で変異される請求項１又は２に記載の方法。
【請求項４】
V105及びI132残基が、I-CreI由来メガヌクレアーゼの同じ単量体中で変異される請求項３に記載の方法。
【請求項５】
I-CreI由来メガヌクレアーゼの両方の単量体が変異される請求項１〜４のいずれか１項に記載の方法。
【請求項６】
I-CreI由来ヘテロ二量体メガヌクレアーゼの2つの単量体のうちの一方が、機能的ホモ二量体の形成を損なうG19S変異を含む請求項１〜５のいずれか１項に記載の方法。
【請求項７】
一方の単量体がG19S又はF87L変異を有し、他方の単量体がV105A及びI132V変異の両方を有する請求項５又は６に記載の方法。
【請求項８】
請求項１〜７のいずれか１項に記載の方法により得ることができるI-CreI由来メガヌクレアーゼであって、G19S、G19A、F54L、F87L、S79G、V105A及びI132Vからなる群より選択される変異を少なくとも１つ含むメガヌクレアーゼ(但し：
- I-CreI G19A, K28A, Y33S, Q38R, S40K, R70S, D75N、
- I-CreI G19A, K28A, Q38R, S40K, R70S, D75N, F87L、
- I-CreI G19A, K28A, Y33S, Q38R, S40K, D69G, R70S, D75N、
- I-CreI Y33R, S40Q, Q44A, R70H, D75N, F87L, I132T, V151A、
- I-CreI Y33R, S40Q, Q44A, R70H, D75N, F87L, F94L, V125A, E157G, K160R、
- I-CreI Y33H, F54L, N86D, K100R, L104M, V105A, N136S, K159R、
- I-CreI S32T, Y33H, Q44K, R68Y, R70S, I77R, Q92R, K96R, K107R, I132V, T140A, T143A、
- I-CreI S32A, Y33H, Q44A, R68Y, R70S, D75Y, I77K, I132V、
- I-CreI N2I, S32G, Y33H, Q44A, R68Y, R70S, D75Y, I77K, K96R, V105A、
- I-CreI S32A, Y33H, F43L, Q44A, R68Y, R70S, D75Y, I77K, V105A, K159R、
- I-CreI G19S, N30Q, Y33G, Q38C, R68N, R70S, S72F, I77R、
- I-CreI Y33G, Q38C, R68N, R70S, I77R, F87L、
- I-CreI N30Q, Y33G, Q38C, F54L, R68N, R70S, I77R、
- I-CreI N30Q, Q31L, Y33G, Q38C, R68N, R70S, I77R, P83Q, F87L及び
- I-CreI N30Q, Y33G, Q38C, R68N, R70S, I77R, V105A
からなる群より選択されるI-CreI変異型を除く)。
【請求項９】
それぞれの単量体がI-CreIの26位〜40位及び／又は44位〜77位に異なる変異を含むヘテロ二量体メガヌクレアーゼであって、前記メガヌクレアーゼが興味対象の非パリンドロームゲノムDNA標的配列を切断できる請求項８に記載のI-CreI由来メガヌクレアーゼ。
【請求項１０】
一方の単量体がK7E変異を含み、他方の単量体がE8K変異を含むヘテロ二量体メガヌクレアーゼである請求項８又は９に記載のI-CreI由来メガヌクレアーゼ。
【請求項１１】
ペプチドリンカーで連結された請求項８〜１０のいずれか１項に記載のI-CreI由来メガヌクレアーゼの第1及び第2単量体を含む単鎖メガヌクレアーゼ。
【請求項１２】
請求項８〜１０のいずれか１項に記載のメガヌクレアーゼ又は請求項１１に記載の単鎖メガヌクレアーゼをコードするポリヌクレオチドフラグメントの少なくとも1つを含む組換えベクター。
【請求項１３】
請求項１２に記載のベクターにより改変された宿主細胞。
【請求項１４】
請求項８〜１１のいずれか１項に記載のメガヌクレアーゼ又は請求項１２に記載のベクターを少なくとも１つ含む医薬組成物。
【請求項１５】
I-CreI由来ヘテロ二量体メガヌクレアーゼのそれぞれの単量体の会合により得られる2つのホモ二量体の少なくとも1つを実質的に含まないI-CreI由来ヘテロ二量体メガヌクレアーゼを作製する方法であって、細胞内でI-CreI由来ヘテロ二量体メガヌクレアーゼの2つの単量体を同時発現させることを含み、前記2つの単量体の一方がG19S変異を含む方法。
【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
香味放出を制御した喫煙物品であって、
タバコロッドと、
下流端と、
初回に送出され、かつ第１の機構によってトリガされる第１の徐放性香味料、及び
前記初回とは異なる２回目に送出され、かつ第２の機構によってトリガされる第２の徐放性香味料、
を含む香味放出を制御した製品と、
を含み、
前記香味放出を制御した製品は、喫煙物品の前記下流端と接触する、
ことを特徴とする喫煙物品。
【請求項２】
前記第１の徐放性香味料及び前記第２の徐放性香味料は、水分の追加、ｐＨの変化、温度上昇、及びこれらの組合せから成る群から選択された第１の機構及び第２の機構によって放出されることを特徴とする請求項１に記載の香味放出を制御した喫煙物品。
【請求項３】
前記第１の徐放性香味料及び前記第２の徐放性香味料は、少なくとも１つのマイクロカプセル内に組み込まれることを特徴とする請求項１に記載の香味放出を制御した喫煙物品。
【請求項４】
前記香味放出を制御した製品は、フィルムであることを特徴とする請求項１に記載の香味放出を制御した喫煙物品。
【請求項５】
前記フィルムは、溶解可能、分解可能、又はその両方であることを特徴とする請求項４に記載の香味放出を制御した喫煙物品。
【請求項６】
前記香味放出を制御した製品は、リップクリーム型製剤であることを特徴とする請求項１に記載の香味放出を制御した喫煙物品。
【請求項７】
前記香味放出を制御した製品は、喫煙物品の前記下流端の外側表面に付加されることを特徴とする請求項１に記載の香味放出を制御した喫煙物品。
【請求項８】
前記第１の徐放性香味料及び前記第２の徐放性香味料は、メントール、ミント、チョコレート、甘草、果実香味、タンジェリン、シトラス、チェリー、ガンマオクタラクトン、バニラ、エチルバニリン、気分転換香味、スパイス香味、シナモン、サリチル酸メチル、リナロール、ベルガモット油、ゼラニウム油、レモン油、ジンジャー油、タバコ香味、スムージング又は清涼活性化合物、苦味剤、及びこれらの組合せから成る群から選択されることを特徴とする請求項１に記載の香味放出を制御した喫煙物品。
【請求項９】
前記第１の徐放性香味料及び前記第２の徐放性香味料の各々は、同じ香味料を含むことを特徴とする請求項１に記載の香味放出を制御した喫煙物品。
【請求項１０】
前記第１の徐放性香味料及び前記第２の徐放性香味料の各々は、異なる香味料を含むことを特徴とする請求項１に記載の香味放出を制御した喫煙物品。
【請求項１１】
前記第１の徐放性香味料及び前記第２の徐放性香味料は、ｃｈｅｍｅｓｔｈｅｓｉｓ剤を含むことを特徴とする請求項１に記載の香味放出を制御した喫煙物品。
【請求項１２】
香味放出を制御した製品に喫煙物品の下流端を接触させる段階、
を含む、
第１の徐放性香味料及び第２の徐放性香味料を含有する、前記請求項１に記載の香味放出を制御した製品の製造方法。
【請求項１３】
前記第１の徐放性香味料は、前記第２の徐放性香味料とは異なる１つ又は複数の香味料を含むことを特徴とする請求項１２に記載の方法。
【手続補正書】
【提出日】平成23年3月8日(2011.3.8)
【手続補正１】
【補正対象書類名】特許請求の範囲
【補正対象項目名】全文
【補正方法】変更
【補正の内容】
【特許請求の範囲】
【請求項１】
酢から臭いを除去する方法であって、
ａ）該酢のｐＨを塩基により少なくとも６へ増大させること；
ｂ）該ｐＨを、少なくとも１５分間、４０〜９０℃で維持すること；
ｃ）もし工程ｂ）の後の該酢のｐＨが８より高いならば、酸を添加して、６〜８のｐＨを有する酢を得ること、
を含む上記方法。
【請求項２】
揮発性成分の少なくとも一部が、工程ｂ）の間に又は後に蒸発させられる、請求項１に記載の方法。
【請求項３】
工程ａ）において、該ｐＨが少なくとも８へ増大させられる、請求項１又は２に記載の方法。
【請求項４】
工程ｂ）において、該酢が、少なくとも３０分間、該ｐＨで維持される、請求項１〜３のいずれか１項に記載の方法。
【請求項５】
工程ｂ）において、温度が５０〜８０℃で維持される、請求項１〜４のいずれか１項に記載の方法。
【請求項６】
工程ａ）において、該ｐＨが、水酸化カリウム及び／又は水酸化ナトリウムを用いて増大させられる、請求項１〜５のいずれか１項に記載の方法。
【請求項７】
工程ｃ）において、ヒドロキシ酸が、該ｐＨを６〜８に調節する為に添加される、請求項１〜６のいずれか１項に記載の方法。
【請求項８】
該ヒドロキシ酸が乳酸、クエン酸、又はそれらの混合物である、請求項７に記載の方法。
【請求項９】
該酢が、工程ａ）において又は工程ａ）の前に、乳酸イオンと混合される、請求項１〜８のいずれか１項に記載の方法。
【請求項１０】
該酢が、乳酸カリウム及び／又は乳酸ナトリウムと混合される、請求項９に記載の方法。
【請求項１１】
工程ａ）において、該ｐＨが少なくとも９．５へ増大させられる、請求項１〜１０のいずれか１項に記載の方法。
【請求項１２】
工程ｂ）において、該酢が、少なくとも６０分間、該ｐＨで維持される、請求項１〜１１のいずれか１項に記載の方法。
【手続補正２】
【補正対象書類名】明細書
【補正対象項目名】００１０
【補正方法】変更
【補正の内容】
【００１０】
酢からにおいを除去し且つ味を維持するそのような改善された方法が、今発見され、そして、該方法は、
ａ）塩基により、該酢のｐＨを少なくとも６に増大させること；
ｂ）４０〜９０℃で少なくとも１５分間、該ｐＨを維持すること；
ｃ）もし工程ｂ）の後の該酢の該ｐＨが８より高いならば、酸を添加して６〜８のｐＨを有する酢を得ること
を含む。
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
加糖消費物であって、以下のもの 
ａ）天然の、および人工の甘味料を含み、 
ここで前記甘味料が、スクロース、フルクトース、グルコース、ブドウ糖果糖液糖、コーンシロップ、キシロース、アラビノース、ラムノース、エリスリトール、キシリトール、マンニトール、ソルビトール、イノシトール、アセサルフェームカリウム、アスパルテーム、ネオテーム、スクラロース、サッカリンまたはこれらの組み合わせを含み、 
ここで前記少なくとも１種の甘味料または甘味料の組み合わせが、２％のスクロースに対して少なくとも等甘味度の濃度における甘味検出しきい値より高い濃度において存在する、 
少なくとも０．０００１％（ｗ／ｗ）の少なくとも１種の甘味料、ならびに 
ｂ）式（１） 
【化１】
2010528632.tif 000001
式中、Ｒ１は、ＯＨおよびＯＣＨ３からなる群から選択され、Ｒ２は、ＨおよびＯＨからなる群から選択され、Ｒ１およびＲ２は、少なくとも１つのＯＨ基を含み、またＲ１がＯＨである場合にはＲ２はＨであり（トリロバチン）、Ｒ１がＯＣＨ３である場合にはＲ２はＯＨである（ＨＤＧ）、 
で表される化合物、 
を含み、 
ここで、式（１）で表される化合物は、前記消費物中にその甘味検出しきい値付近の濃度において存在する、 
前記加糖消費物。
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
対象における肺癌の予後診断を提供する方法であって、以下の工程を含む方法：
（a）対象由来の生物学的サンプルを、ctnnb1、wnt3a、tp53、kras、erbb3、muc1、erbb2およびdusp6を含むバイオマーカーの一群の１つのメンバーにそれぞれ特異的に結合する試薬群と接触させる工程、および
（b）それらのマーカーがサンプル中において示差的に発現されているかどうかを決定する工程；これにより肺癌についての予後診断が提供される。
【請求項２】
試薬が核酸である、請求項１に記載の方法。
【請求項３】
試薬がオリゴヌクレオチドである、請求項１に記載の方法。
【請求項４】
試薬がPCRプライマーセットである、請求項１に記載の方法。
【請求項５】
試薬が抗体である、請求項１に記載の方法。
【請求項６】
肺癌がステージI、II、IIIまたはIVの肺腺癌である、請求項１に記載の方法。
【請求項７】
サンプルが外科的に摘出された腫瘍からのものである、請求項１に記載の方法。
【請求項８】
サンプルが肺組織または肺腫瘍生検からのものである、請求項１に記載の方法。
【請求項９】
予後診断が、長期死亡率についての高リスクまたは低リスクの評価を提供する、請求項１に記載の方法。
【請求項１０】
肺癌を有する対象の予後診断を提供する方法であって、生物学的サンプル中のrnd3、wnt3a、erbb3、lck、sh3bgr、fut3、il11、cdc6、cdk2ap1、bag1、emx2、six3およびbrca1からなる群から選択される少なくとも２のバイオマーカーの発現レベルを定量化することを含む方法であり、該生物学的サンプルは該対象に由来し、該発現レベルは予後の指標となるものである、方法。
【請求項１１】
前記発現レベルがmRNA発現レベルである、請求項１０に記載の方法。
【請求項１２】
前記定量化が定量的rtPCRを含む、請求項１１に記載の方法。
【請求項１３】
前記発現レベルがタンパク質発現レベルである、請求項１０に記載の方法。
【請求項１４】
前記発現レベルが抗体結合アッセイを用いて定量化される、請求項１３に記載の方法。
【請求項１５】
抗体結合アッセイがELISAである、請求項１４に記載の方法。
【請求項１６】
生物学的サンプル中の少なくとも３または少なくとも４のバイオマーカーの発現レベルを定量化することを含む、請求項１０に記載の方法。
【請求項１７】
少なくとも４のバイオマーカーを含み、該少なくとも４のバイオマーカーがerbb3、lck、wnt3aおよびrdn3を含む、請求項１０に記載の方法。
【請求項１８】
少なくとも４のバイオマーカーを含み、該少なくとも４のバイオマーカーがerbb3、lck、wnt3aおよびrdn3を含む、請求項１０に記載の方法。 
【請求項１９】
生物学的サンプルが血液サンプルである、請求項１０に記載の方法。
【請求項２０】
生物学的サンプルが腫瘍生検である、請求項１０に記載の方法。
【請求項２１】
生物学的サンプルが肺生検である、請求項１０に記載の方法。
【請求項２２】
肺癌を有する対象の予後診断を提供する方法であって、生物学的サンプル中のrnd3、wnt3a、erbb3、lck、sh3bgr、fut3、il11、cdc6、cdk2ap1、bag1、emx2、six3およびbrca1からなる群から選択される少なくとも２のバイオマーカーのメチル化レベルを測定することを含む方法であり、該生物学的サンプルは該対象に由来し、該メチル化レベルは予後診断の指標となるものである、方法。
【請求項２３】
生物学的サンプル中の少なくとも３のバイオマーカーの発現レベルを定量化することを含む、請求項２２に記載の方法。
【請求項２４】
生物学的サンプル中の少なくとも４のバイオマーカーの発現レベルを定量化することを含む、請求項２２に記載の方法。
【請求項２５】
前記少なくとも４のバイオマーカーがerbb3、lck、wnt3aおよびrdn3を含む、請求項２４に記載の方法。
【手続補正書】
【提出日】平成23年5月24日(2011.5.24)
【手続補正１】
【補正対象書類名】明細書
【補正対象項目名】０００７
【補正方法】変更
【補正の内容】
【０００７】
好ましい実施形態は、滞留時間と注入時間を調節するための部材の設計に関する。
以下に本発明のいくつかの実施形態について述べる。
前記牽引ケーブルは、前記注入行程のあとの前記復帰行程において、前記キャリッジ及び前記ローラによって前記カルプーレ／注射器を収容した前記収容部を引張り、そして前記穿刺箇所から注射針を引き抜く注入装置であって、該注入行程と該復帰行程との間の該カルプーレ／注射器が動かない時間、即ち注射針が挿入箇所に留まったままである時間(アイドリング行程ＨＸ)が、少なくとも１つの第１の手段でハウジングにおいて調節可能である。（形態２）
前記押し込みロッドと前記収容部とを接続する装置であり、前記穿刺行程を行うために該押し込みロッドを該収容部に係合し、前記注入行程を行うためにそれを脱係合する装置を備える注入装置であって、該収容部内での該押し込みロッドの運動の開始時と終了時の間の時間、即ち該注入行程（Ｈ２）の時間が、少なくとも１つの第２の手段により調節可能である。（形態３）
前記第１及び／又は第２の手段は、移動可能に支持された歯付ラックを含む。（形態４）
前記第１及び／又は第２の手段は、関連する歯付ラックにより駆動可能な１以上の緩衝要素を含む。（形態５）
前記緩衝要素が効果を及ぼす時間は、２つの端部の間における前記関連する歯付ラックの移動を生じさせるポジショナにより、関連する前記行程（ＨＸ，Ｈ２）の一部を介して前記ハウジングにおいて調節可能である。（形態６）
前記緩衝要素は、前記ハウジングにおいて調節可能な緩衝特性を有する。（形態７）
前記緩衝要素は、そのシャフトに歯付ラックによって駆動される歯車を有する回転式緩衝要素である。（形態８）
回転式緩衝要素とその歯付ラックとの間に歯車機構を有する。（形態９）
前記歯車機構はプラネタリギヤであり、そのサンギヤは前記回転式緩衝要素のシャフトに固定結合され、その環状ギヤは該シャフトを中心に自由回転可能で内側に遊星ギヤが回転するとともに、前記歯付ラックと噛み合い、そのプラネタリキャリヤは該シャフトを中心に自由回転し、ユーザによって駆動されるブロッキングスライドと係合可能であり、該ブロッキングスライドは該プラネタリキャリヤの回転を阻止する。（形態１０）
２つの回転式緩衝要素が互いに同軸に配置されたシャフトにそれぞれ支持され、第１のシャフトは第１のブロッキングディスク及びサンギヤに固定結合され、環状ギヤは該第１のシャフトを中心として自由回転し、第２のシャフトは第２のブロッキングディスクを形成するよう設計されたプラネタリキャリヤと固定結合され、ユーザが調節可能なブロッキング要素が該２つのブロッキングディスクのうちの１つを選択的に回転停止できる。（形態１１）
カルプーレを用いる場合、前記穿刺行程の前に混合行程が行われる。（形態１２）
なお、特許請求の範囲に記載した図面参照符号は、専ら理解を容易にするためのものであり、図面に記載した態様に限定することを意図するものではない。
【手続補正２】
【補正対象書類名】図面
【補正対象項目名】図１２Ａ
【補正方法】変更
【補正の内容】
【図１２Ａ】
2010528736.tif 000001
【手続補正書】
【提出日】平成23年5月6日(2011.5.6)
【手続補正１】
【補正対象書類名】特許請求の範囲
【補正対象項目名】全文
【補正方法】変更
【補正の内容】
【特許請求の範囲】
【請求項１】
歯科ブリッジ（１）を製造する方法であって、セラミック材料の未加工体から作られたブランク（３）を準備し；ブランク（３）に対して機械加工操作を実施し、それをブリッジ構造体（５）と、支持体（６）からブリッジ構造体（５）まで延びる一つ又は複数の保持部分（７）によってブリッジ構造体（５）に連結された支持体（６）とを含む中間製品（４）に変形し；そして保持部分（単数又は複数）（７）が支持体（６）をブリッジ構造体（５）になお連結しながら中間製品（４）に対して焼結操作を実施することを含むことを特徴とする方法。
【請求項２】
中間製品（４）に対して実施される焼結操作時に、中間製品は少なくとも部分的に垂直方向に延びる保持部分（単数又は複数）（７）を与えられることを特徴とする請求項１に記載の方法。
【請求項３】
保持部分（単数又は複数）（７）が焼結操作後にブリッジ構造体（５）から除去されることを特徴とする請求項１に記載の方法。
【請求項４】
ブリッジ構造体（５）が焼結操作時に保持部分（単数又は複数）（７）によってのみ支持されることを特徴とする請求項１又は２に記載の方法。
【請求項５】
ブリッジ構造体がアーチ（８）を形成し、中間製品（４）が支持体（６）をブリッジ構造体（５）に接続する複数の保持部分（７）を含むことを特徴とする請求項１〜４のいずれかに記載の方法。
【請求項６】
保持部分（７）の少なくとも幾つかがブリッジ構造体（５）から支持体（６）の共通ハブ（９）に向かって延びるスポークとして造形されることを特徴とする請求項１〜５のいずれかに記載の方法。
【請求項７】
中間製品（４）の支持体（６）の一部が円弧を形成する外部表面（１３）を有することを特徴とする請求項１〜６のいずれかに記載の方法。
【請求項８】
焼結操作時に、支持体（６）が、支持体（６）の外部表面が円弧に沿って二つの場所でＶ−ブロック（１２）に当接するような方法でＶ−ブロック（１２）上に載っていることを特徴とする請求項１〜７のいずれかに記載の方法。
【請求項９】
焼結操作時に、中間製品（４）が水平面に対して傾斜された表面（１１）に対して載っていることを特徴とする請求項１〜８のいずれかに記載の方法。
【請求項１０】
中間製品が複数の保持部分（７）を有し、焼結操作時に、中間製品（４）が、少なくとも一つの保持部分（７）が本質的に垂直方向に延びるように配置されることを特徴とする請求項１〜９のいずれかに記載の方法。
【請求項１１】
焼結操作時に、中間製品（４）が回転固形体として造形される要素（１６）上に載っていることを特徴とする請求項１〜１０のいずれかに記載の方法。
【請求項１２】
中間製品（４）において、ブリッジ構造体（５）が歯科インプラント、インプラント支持当接部又は歯科プレパレーションのための界面を規定するように造形された少なくとも一つの部分（１７）を持つような形状にブランク（３）を機械加工することを含むことを特徴とする請求項１〜１１のいずれかに記載の方法。
【請求項１３】
少なくとも一つの保持部分（７）が、歯科インプラント、インプラント支持当接部又は歯科プレパレーションのための界面を規定するように造形された部分（１７）と関連するように支持体（６）からブリッジ構造体（５）まで延びることを特徴とする請求項１２に記載の方法。
【請求項１４】
ブリッジ構造体（５）が界面を規定するように造形された複数の部分（１７）を含み、歯科インプラント、インプラント支持当接部又は歯科プレパレーションのための界面を規定するように造形された各部分（１７）が少なくとも一つの関連する保持部分（７）を有することを特徴とする請求項１２に記載の方法。
【請求項１５】
複数の保持部分（７）が存在し、少なくとも一つの保持部分（７）が減少した横断面を有し、そこでそれが支持体（６）及びブリッジ構造体（５）の少なくとも一つに会うことを特徴とする請求項１〜１４のいずれかに記載の方法。
【請求項１６】
ブランク（３）がジルコニアを含むことを特徴とする請求項１〜１５のいずれかに記載の方法。
【請求項１７】
ブランク（３）が酸化アルミニウムを含むことを特徴とする請求項１〜１５のいずれかに記載の方法。
【請求項１８】
機械加工操作が予備焼結ブランク（３）に対して実施されることを特徴とする請求項１〜１７のいずれかに記載の方法。
【請求項１９】
歯科ブリッジを作るために好適な焼結製品であって、それが予備焼結ブランクを所望の形状に機械加工し、続いて機械加工されたブランクを焼結することによって作られ、焼結製品が６．０〜６．１ｇ／ｃｍ３の範囲の密度を有し、焼結製品がブリッジ構造体（５）と、支持体（６）からブリッジ構造体まで延びる一つ又は複数の保持部分（７）によってブリッジ構造体（５）に連結された支持体（６）とを含むことを特徴とする焼結製品。
【請求項２０】
歯科ブリッジ（１）を製造するための装置であって、装置が、セラミック材料が焼結されるか又は予備焼結された物体が追加の焼結操作を受ける少なくとも一つの加熱炉（２０）を含み、装置がさらに、予備形成された中間製品が追加の焼結操作時に載る焼結支持体（１０，１２，１６）を含み、焼結支持体が、加熱炉に配置されるとき、水平面に対して傾斜された少なくとも一つの表面を与えうる焼結支持体（１０，１２）又は回転体として造形された複数の要素（１６）の少なくとも一つを含むことを特徴とする装置。
【請求項２１】
焼結支持体がＶ−ブロック（１２）であることを特徴とする請求項２０に記載の装置。
【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
医療用送達デバイスに用いられる薬剤リザーバであって、当該医療用送達デバイスが、薬剤リザーバを受容し、且つ薬剤リザーバ上に配置される識別コードに容量的に結合して当該識別コードを識別するもので、リザーバの識別コードが、
−等しい間隔のピッチＰを有し、受信機アレイを形成する、不連続電極の第１アレイ、及び、
−等しい間隔のピッチＰを有し、第１送信機アレイを形成する、不連続電極の第２アレイを含み、
受信機アレイ及び第１送信機アレイがほぼ平行に配置されて第１方向に沿って延び、且つ受信機アレイの各電極が第１送信機アレイの対応する電極に電流的に接続されており、
第１送信機アレイの電極が、第１方向に沿って受信機アレイの対応する電極から第１オフセット値分ずれており、この第１オフセット値の大きさが薬剤リザーバの種類に固有であって、
さらに、等しい間隔のピッチＰを有し、第２送信機アレイを形成する、不連続電極の第３アレイが第１送信機アレイとほぼ平行に配置されており、第２送信機アレイの各電極が第１送信機アレイの各電極に電流的に結合され、第２送信機アレイの電極が第１方向に沿って第１送信機アレイの対応する電極からずれている
ことを特徴とする、薬剤リザーバ。
【請求項２】
第２送信機アレイの電極が、第１方向に沿って受信機アレイの対応する電極に位置合わせされている、請求項１に記載の薬剤リザーバ。
【請求項３】
第１方向に沿って第２送信機アレイの電極が受信機アレイの対応する電極に対して取る位置が第２オフセット値を規定し、第１及び第２オフセット値の組み合わせが薬剤リザーバの種類に固有であることを特徴とする、請求項１又は２に記載の薬剤リザーバ。
【請求項４】
第１送信機アレイが、受信機アレイと第２送信機アレイの間に位置づけられる、請求項１−３のいずれか１項に記載の薬剤リザーバ。
【請求項５】
前記アレイの電極が屈曲性フォイルの上に配置されており、前記フォイルが薬剤リザーバの外表面に固定されている、請求項１−４のいずれか１項に記載の薬剤リザーバ。
【請求項６】
前記アレイの電極の少なくとも一部が、誘電材料の層によって覆われている、請求項１−５のいずれか１項に記載の薬剤リザーバ。
【請求項７】
リザーバが円筒部分を含み、受信機アレイ、第１送信機アレイ、及び第２送信機アレイが円筒部分の周囲ほぼ３６０度に延びる、請求項１−６のいずれか１項に記載の薬剤リザーバ。
【請求項８】
薬剤リザーバを受容する医療用送達デバイスであって、薬剤リザーバが、
−等しい間隔のピッチＰを有し、受信機アレイを形成する、不連続電極の第１アレイ、
−等しい間隔のピッチＰを有し、第１送信機アレイを形成する、不連続電極の第２アレイ、及び、
−等しい間隔のピッチＰを有し、第２送信機アレイを形成する、不連続電極の第３アレイ
を含むリザーバ識別コードを有し、
受信機アレイ、第１送信機アレイ、及び第２送信機アレイがほぼ平行に配置されて、それぞれが第１方向に沿って延び、且つ受信機アレイの各電極が第１送信機アレイ及び第２送信機アレイの対応する電極に電流的に結合されており、
第１送信機アレイの電極が第１方向に沿って受信機アレイの各電極からずれていることによって第１オフセット値が規定されており、この第１オフセット値の大きさが薬剤リザーバの種類に固有であって、
当該医療用送達デバイスが、
−第２方向に沿って等間隔のピッチＰを有するデバイス送信機電極の組であって、リザーバがデバイスに受容されると前記第１方向にほぼ整列し、リザーバに配された受信機アレイの電極の対応する組に容量的に結合するデバイス送信機電極の組と、
−リザーバに配された第１送信機アレイの電極の対応する組に容量的に結合する電極を有する第１読み取り器ヘッドと、
−デバイス送信機電極の組の各電極に複数の時間的に変動する入力信号を印加する信号発生器手段と、
−第１読み取り器ヘッドによって検出された信号を受信して、第１方向に沿った、受信機アレイの電極からの第１送信機アレイ電極のずれの測定値を表す第３オフセット値の大きさを検出する電気回路と
を含んでおり、
医療用送達デバイスがさらに、リザーバに配される第２送信機アレイの電極の対応する組に容量的に結合する電極を有する第２読み取り器ヘッドを含み、
電気回路が、第２読み取り器ヘッドから信号を受信して、第１方向に沿った、受信機アレイの電極からの第２送信機アレイ電極のずれの測定値を表す第４オフセット値の大きさを検出し、第３及び第４オフセット値に基づいてリザーバ識別コードを識別する、
医療用送達デバイス。
【請求項９】
電気回路が、検出された第４オフセット値に基づいて、第１方向と第２方向の間の角度によって規定される傾斜角を検出する、請求項８に記載の医療用送達デバイス。
【請求項１０】
医療用送達デバイスが、電気回路に結合されるアラーム手段をさらに含み、電気回路が、検出された傾斜角が所定の値よりも大きい場合にアラームを生成する、請求項９に記載の医療用送達デバイス。
【請求項１１】
電気回路が、検出された第３オフセット値に基づき且つ検出された傾斜角によって補正された修正コードオフセット値を計算する、請求項９又は１０に記載の医療用送達デバイス。
【請求項１２】
電気回路が、検出された第３及び第４オフセット値の組み合わせにしたがって識別コードを識別する、請求項８に記載の医療用送達デバイス。
【請求項１３】
請求項１ないし７のいずれか１項に記載の薬剤リザーバを備える、請求項８から１３のいずれか１項に記載の医療用送達デバイス。
【請求項１４】
医療用送達デバイスに用いられる薬剤リザーバの外表面部分上に配置される屈曲性フォイルであって、当該屈曲性フォイルが、医療用送達デバイスにより識別可能なリザーバ識別コードを有し、当該リザーバ識別コードが、
−等しい間隔のピッチＰを有し、受信機アレイを形成する、不連続電極の第１アレイ、及び、
−等しい間隔のピッチＰを有し、第１送信機アレイを形成する、不連続電極の第２アレイを含み、
受信機アレイ及び第１送信機アレイがほぼ平行に配置されて第１方向に沿って延び、且つ受信機アレイの各電極が第１送信機アレイの対応する電極に電流的に接続されており、
第１送信機アレイの電極が、第１方向に沿って受信機アレイの対応する電極から第１オフセット値分ずれており、この第１オフセット値の大きさが薬剤リザーバの種類に固有であって、
さらに、等しい間隔のピッチＰを有し、第２送信機アレイを形成する、不連続電極の第３アレイが第１送信機アレイとほぼ平行に配置されており、第２送信機アレイの各電極が第１送信機アレイの各電極に電流的に結合され、第２送信機アレイの電極が第１方向に沿って第１送信機アレイの対応する電極からずれている
ことを特徴とする、薬剤リザーバ。
【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
ヒトの心臓または血管系中に埋め込むための軸流回転ポンプであって、
該ポンプは、
（ａ）長尺ケーシングであって、該ケーシングの一端の血液入口と、該入口とは、軸方向で離れている血液出口と、前記入口から前記出口への実質的に軸方向である血流路とを含んでおり、さらに電動モーターステーターを含んでいる長尺ケーシングと、
（ｂ）前記ケーシングの内部に適合するように設置される長尺管状回転要素であって、該管状回転要素の外面と、前記ケーシングの内面との間には、隙間が存在し、前記管状回転要素は、前記電動モーターステーターによって駆動される電動モーターローター部分を含んでおり、前記管状回転要素の内側に沿って実質的に軸方向である一次血流路が存在している長尺管状回転要素と、
（ｃ）前記一次血流路に沿って血液を送り込むため、ポンプチャンバー内に設置される回転インペラーと、
を含んでおり、前記インペラーは、前記ローター部分から軸方向に隔てられて前記ポンプチャンバーと、前記ローター部分との間に、軸方向にオフセットしたスペースを設け、前記ポンプチャンバーは、前記管状回転要素の内径よりも大きな内径を有していることを特徴とする軸流回転ポンプ。
【手続補正２】
【補正対象書類名】明細書
【補正対象項目名】０００７
【補正方法】変更
【補正の内容】
【０００７】
したがって、本発明によれば、ヒトの心臓または血管系中に埋め込むための軸流回転ポンプであって、
該ポンプは、
（ａ）長尺ケーシングであって、該ケーシングの一端の血液入口と、該入口とは、軸方向で離れている血液出口と、前記入口から前記出口への実質的に軸方向である血流路とを含んでおり、さらに電動モーターステーターを含んでいる長尺ケーシングと、
（ｂ）前記ケーシングの内部に適合するように設置される長尺管状回転要素であって、該管状回転要素の外面と、前記ケーシングの内面との間には、隙間が存在し、前記管状回転要素は、前記電動モーターステーターによって駆動される電動モーターローター部分を含んでおり、前記管状回転要素の内側に沿って実質的に軸方向である一次血流路が存在している長尺管状回転要素と、
（ｃ）前記一次血流路に沿って血液を送り込むため、ポンプチャンバー内に設置される回転インペラーと、
を含んでおり、前記インペラーは、前記ローター部分から軸方向に隔てられて前記ポンプチャンバーと、前記ローター部分との間に、軸方向にオフセットしたスペースを設け、前記ポンプチャンバーは、前記管状回転要素の内径よりも大きな内径を有していることを特徴とする軸流回転ポンプが提供される。
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
円筒状をなし、ペニス（１０）が貫通挿入されるように、ボディーの中央に貫通部（１１２）が形成され、その貫通部（１１２）の前方には、前記貫通部（１１２）の内径に比べて小さい直径を有する小径部（１１４）が形成され、前記ボディー（１１０）の外周面には載置溝（１１１）が形成され、前記載置溝（１１１）には、表面に複数の刺激突起（１３２）が形成される円筒体（１３０）が挿入されることを特徴とする男性用健康補助器具。
【請求項２】
前記貫通孔（１１２）には、中心軸の方向に延びる尿道溝（１１６）がさらに形成されたことを特徴とする請求項１に記載のペニス勃起安定器。
【請求項３】
前記安定器ボディー（１１０）の外面には、外部に突出する複数の刺激突起（１２０）が形成されたことを特徴とする請求項１に記載のペニス勃起安定器。
【請求項４】
前記安定器ボディー（１１０）の後部の外面には、一定の間隔をあけて滑り防止用の凹凸（１２２）が形成され、前記安定器ボディー（１１０）の前部の外面には、複数の刺激突起（１２０）が形成されたことを特徴とする請求項１に記載のペニス勃起安定器。
【請求項５】
前記円筒体（１３０）は、シリコンからなることを特徴とする請求項１に記載の男性用健康補助器具。
【請求項６】
前記貫通孔（１１２）の内部には少なくとも一つの磁石（１３４）が埋め立てられることを特徴とする請求項１に記載のペニス勃起安定器。
【請求項７】
前記安定器ボディー（１１０）の貫通孔（１１２）は、テーパー面（１１２ａ）を有し、このテーパー面（１１２ａ）の前端部には小径部（１１４）が形成されることを特徴とする請求項１に記載のペニス勃起安定器。
【手続補正書】
【提出日】平成23年5月6日(2011.5.6)
【手続補正１】
【補正対象書類名】特許請求の範囲
【補正対象項目名】全文
【補正方法】変更
【補正の内容】
【特許請求の範囲】
【請求項１】
基端および先端を有するステントであって、
第１の領域、第２の領域および第３の領域を含んでなる管状本体であって、複数の蛇行状のバンドによって画成され、蛇行状のバンドはそれぞれ、ストラットによって接続された複数の交互に並んだ基端側折り返し部および先端側折り返し部を含んでなることを特徴とする、管状本体と、
第２の領域は、共通のステント外周に沿って互いにオーバラップする第１の蛇行状のバンドおよび第２の蛇行状のバンドを含んでなることと、
第１の領域および第３の領域はそれぞれ、共通のステント外周に沿って別の蛇行状のバンドとはオーバラップしていない蛇行状のバンドを含んでなることと
からなるステント。
【請求項２】
第１の領域または第３の領域の蛇行状のバンドは互いにオーバラップしない、請求項１に記載のステント。
【請求項３】
第２の領域の蛇行状のバンドはそれぞれ、少なくとも１つの他の蛇行状のバンドとオーバラップする、請求項１に記載のステント。
【請求項４】
第２の領域は第３の蛇行状のバンドをさらに含んでなり、第２の蛇行状のバンドおよび第３の蛇行状のバンドは共通のステント外周に沿って互いにオーバラップする、請求項１に記載のステント。
【請求項５】
第１の領域は交互に並んでいる蛇行状のバンドおよびコネクタ・カラムを含んでなり、各々のコネクタ・カラムは複数のコネクタ・ストラットを含んでなり、各々のコネクタ・ストラットは２つの隣接する蛇行状のバンドの間を接続する、請求項１に記載のステント。
【請求項６】
コネクタ・カラムは交互に並んでいる第１のコネクタ・カラムおよび第２のコネクタ・カラムを含んでなり、第１のコネクタ・カラムは、第２のコネクタ・カラムのコネクタ・ストラットとは異なるコネクタ・ストラットを有している、請求項５に記載のステント。
【請求項７】
第２の領域の蛇行状のバンドはそれぞれ、複数の第１のストラットおよび第２のストラットを含んでなり、全ての基端側折り返し部が、第１のストラットにより第１の先端側折り返し部に、第２のストラットにより第２の先端側折り返し部に接続され、各々の第１のストラットは、各々の第２のストラットの曲線状のパスとは異なる曲線状のパスを画成する、請求項１に記載のステント。
【請求項８】
付属部をさらに含んでなり、該付属部は第２の領域に位置する自由端を含んでなる、請求項１に記載のステント。
【請求項９】
付属部は接続端で第１の領域の蛇行状のバンドに接続されている、請求項８に記載のステント。
【請求項１０】
ステントは自己拡張型であり、第２の領域の拡張形態は第１の領域の拡張形態よりも大きい直径からなる、請求項１に記載のステント。
【手続補正書】
【提出日】平成23年3月14日(2011.3.14)
【手続補正１】
【補正対象書類名】明細書
【補正対象項目名】発明の名称
【補正方法】変更
【補正の内容】
【発明の名称】透析器具、溶液、並びに溶液及び透析液を準備する方法
【手続補正２】
【補正対象書類名】明細書
【補正対象項目名】００４９
【補正方法】変更
【補正の内容】
【００４９】
透析液１３０と患者の血液の組成の相違により、リン酸塩、硫酸塩、重炭酸塩、カリウム、カルシウム、及びマグネシウム等の不純物及び毒素は、血液から透析装置１０５の膜１２０を通じて透析液に拡散されるか、その逆に拡散される。同様に尿素やクレアチニン等のその他の不純物は膜１２０を横断して拡散される。透析液１３０は、例えば通常血液にそれぞれ見られるリン酸塩、硫酸塩、カリウム、カルシウム、及びマグネシウムの濃度より低いリン酸塩、硫酸塩、カリウム、カルシウム、及びマグネシウムの濃度を有する。透析液１３０は通常血液の重炭酸塩の濃度より高い濃度の重炭酸塩を有する。
【手続補正３】
【補正対象書類名】明細書
【補正対象項目名】００５０
【補正方法】変更
【補正の内容】
【００５０】
従って、治療中にリン酸塩、硫酸塩、カリウム、カルシウム、及びマグネシウムは通常血液から透析液１３０に拡散するが、治療中に重炭酸塩は透析液１３０から血液に拡散する。透析液１３０の通常の濃度は、約１４０ｍＥｑ／Ｌ（約１４０ｍｍｏｌ／Ｌ）のナトリウム、約１００ｍＥｑ／Ｌ（約１００ｍｍｏｌ／Ｌ）の塩化物、約３５ｍＥｑ／Ｌ乃至約４０ｍＥｑ／Ｌ（約３５ｍｍｏｌ／Ｌ乃至約４０ｍｍｏｌ／Ｌ）の重炭酸塩、約２．０ｍＥｑ／Ｌ（約２．０ｍｍｏｌ／Ｌ）のカリウム、約２．５ｍＥｑ／Ｌ（約１．２５ｍｍｏｌ／Ｌ）のカルシウム、２．０ｍＥｑ／Ｌ（約１．０ｍｍｏｌ／Ｌ）のマグネシウムを含み、リン酸塩や硫酸塩を含まない。しかしながら、上述したように透析液１３０のナトリウム濃度は治療を受ける所定の患者の血液のナトリウムレベルに応じて変化する。透析液１３０のその他の組成も特に行われる処置のタイプに応じて変化する。
【手続補正４】
【補正対象書類名】特許請求の範囲
【補正対象項目名】全文
【補正方法】変更
【補正の内容】
【特許請求の範囲】
【請求項１】
透析液（１３０）を含む透析液供給装置（１２５）と、
溶液（２００）を含む溶液供給装置（１９５）と、
溶液（２００）を患者の血液と連通させる透析装置（１０５）とを備え、
溶液（２００）中の少なくとも１つの導電性を備えた溶質の濃度は、患者の血液と連通させるに先立って、患者の血中の少なくとも１つの導電性を備えた溶質の濃度に匹敵することを特徴とする透析器具（１００）。
【請求項２】
前記少なくとも１つの導電性を備えた溶質は、リン酸塩、硫酸塩、重炭酸塩、カリウム、カルシウム、及びマグネシウムからなる一群から選択されるか、任意により前記少なくとも１つの導電性を備えた溶質は、リン酸塩、硫酸塩、重炭酸塩、カリウム、カルシウム、及びマグネシウムからなることを特徴とする請求項１に記載の透析器具（１００）。
【請求項３】
溶液を患者の血液と連通させるに先立って、溶液（２００）の導電性を測定すべく位置される第１の電導度検出器（２２０）と、
溶液（２００）を患者の血液と連通させた後に、溶液（２００）の導電性を測定すべく位置される第２の電導度検出器（２２５）と、
溶液（２００）の測定された導電性の機能により患者の血中のナトリウムの濃度を測定する制御ユニット（２３０）とを更に備えたことを特徴とする請求項１又は２に記載の透析器具（１００）。
【請求項４】
前記透析装置（１０５）は透析液（１３０）を患者の血液と連通させるべく位置されることと、透析液（１３０）は血中の測定されたナトリウム濃度に匹敵するナトリウム濃度を有することとを特徴とする請求項３に記載の透析器具（１００）。
【請求項５】
前記透析液（１３０）のナトリウム濃度は、血液の測定されたナトリウム濃度と５％及び／又は７．０ｍＥｑ／Ｌ（約７．０ｍｍｏｌ／Ｌ）以下だけ異なることを特徴とする請求項４に記載の透析器具（１００）。
【請求項６】
前記透析液供給装置（１２５）は、透析液の濃縮液（１８０）と水とを混合することにより透析液（１３０）を準備するための混合機（１５５）を備えることを特徴とする請求項４又は５に記載の透析器具（１００）。
【請求項７】
前記透析器具（１００）は、透析液（１３０）に透析装置（１０５）を通過させるに先立って、溶液（２００）に透析装置（１０５）を通過させることを特徴とする請求項４に記載の透析器具（１００）。 
【請求項８】
前記透析器具（１００）は、溶液（２００）が透析装置（１０５）を通過する時間が、透析液（１３０）が透析装置（１０５）を通過する時間より短くなるように構成されるか、任意により、透析器具（１００）は、溶液（２００）が透析装置（１０５）を５分以下通過するように構成されることを特徴とする請求項７に記載の透析器具（１００）。
【請求項９】
制御ユニット（２３０）は、患者の血中のナトリウム濃度が、透析液（１３０）が透析装置（１０５）を所定の時間にわたって通過した後に測定された患者の血液のナトリウム濃度と５％以下だけ異なるように、透析液供給装置（１２５）を制御することを特徴とする請求項４又は５に記載の透析器具（１００）。
【請求項１０】
患者の母集団の血中の１つ以上の導電性溶質の測定された平均レベルと等しく、ナトリウム以外の１つ以上の導電性溶質のレベルを有する、患者の血中のナトリウム濃度を測定する溶液（２００）を準備する工程を含む方法。
【請求項１１】
前記患者の母集団は血液透析患者の母集団からなることを特徴とする請求項１０に記載の方法。
【請求項１２】
前記複数の導電性溶質はリン酸塩、硫酸塩、重炭酸塩、カリウム、カルシウム、及びマグネシウムからなる一群から選択される１つ以上の材料からなることを特徴とする請求項１０又は１１に記載の方法。
【請求項１３】
前記溶液（２００）はナトリウムを更に含むことを特徴とする請求項１２に記載の方法。
【請求項１４】
患者の血中のナトリウム濃度を測定するための溶液（２００）であって、同溶液は請求項１０乃至１３のいずれか一項に記載の溶液を準備することにより得られることを特徴とする溶液（２００）。
【請求項１５】
透析液（１３０）を準備する方法であって、同透析液（１３０）は患者の血中に存し測定されるナトリウム濃度に匹敵するナトリウム濃度を含むべく準備されることと、測定される導電性を示す値が請求項１４に記載の導電性試験溶液（２００）の導電性を測定することにより得られることとを特徴とする透析液（１３０）を準備する方法。
【手続補正書】
【提出日】平成23年5月27日(2011.5.27)
【手続補正１】
【補正対象書類名】特許請求の範囲
【補正対象項目名】全文
【補正方法】変更
【補正の内容】
【特許請求の範囲】
【請求項１】
アコモダティブ眼内レンズ（ＡＩＯＬ）であって、
光学機器と、
少なくとも１つのコネクタによって前記光学機器に連結した少なくとも１つの支持プレートと、
を備え、
前記コネクタが前記支持プレートよりも剛性が低く、
前記少なくとも１つの支持プレートが前記光学機器を取り囲み、
前記光学機器および支持プレートが、７０ｍｍ2〜１００ｍｍ2の合計表面積を有し、
前記少なくとも１つの支持プレートが、少なくとも６０ｍｍ2の表面積を有し、
ここで、前記少なくとも１つのコネクタが、前記少なくとも１つのコネクタの屈伸によって前記光学機器の変形が可能になるように構成される、
アコモダティブ眼内レンズ（ＡＩＯＬ）。
【請求項２】
前記少なくとも１つの支持プレートが、前記光学機器の周辺に３６０°の連続境界を形成することを特徴とする請求項１記載のＡＩＯＬ。
【請求項３】
前記少なくとも１つの支持プレートが、少なくとも２つの支持プレートを含むことを特徴とする請求項１記載のＡＩＯＬ。
【請求項４】
前記少なくとも１つの支持プレートが、その角度の全範囲にわたり、１．０〜３．５ｍｍの半径寸法における幅を有することを特徴とする請求項１記載のＡＩＯＬ。
【請求項５】
前記少なくとも１つのコネクタが、少なくとも２つのコネクタを含むことを特徴とする請求項１記載のＡＩＯＬ。
【請求項６】
前記少なくとも１つの支持プレートが、前記少なくとも１つのコネクタの任意の部分より大きい厚さを有することを特徴とする請求項１記載のＡＩＯＬ。
【請求項７】
前記少なくとも１つの支持プレートが円錐形を有することを特徴とする請求項１記載のＡＩＯＬ。
【請求項８】
前記ＡＩＯＬが、前記光学機器と前記少なくとも１つの支持プレートの間にヒンジを有しないことを特徴とする請求項１記載のＡＩＯＬ。
【請求項９】
前記合計表面積が、７５ｍｍ2〜１００ｍｍ2であることを特徴とする請求項１記載のＡＩＯＬ。
【請求項１０】
前記合計表面積が、８０ｍｍ2〜１００ｍｍ2であることを特徴とする請求項１記載のＡＩＯＬ。
【請求項１１】
アコモダティブ眼内レンズ（ＡＩＯＬ）を適用する方法であって、前記方法が、
（Ａ）ＡＩＯＬを提供する工程であって、
（ｉ）光学機器と
（ｉｉ）少なくとも１つのコネクタによって前記光学機器に連結した少なくとも１つの支持プレートと、
を備え、
前記コネクタが前記支持プレートよりも剛性が低く、
前記少なくとも１つの支持プレートが前記光学機器を取り囲む、
ＡＩＯＬ提供工程と、
（Ｂ）前記レンズを眼内に移植する工程であって、
前記少なくとも１つの支持プレートおよび前記光学機器が前記眼の水晶体の後嚢の６５％〜９５％を覆う、移植工程と、
を有してなる方法。
【請求項１２】
前記少なくとも１つの支持プレートおよび前記光学機器が、前記眼の水晶体の後嚢の７０％〜９５％を覆うことを特徴とする請求項１１記載の方法。
【請求項１３】
前記少なくとも１つの支持プレートおよび前記光学機器が、前記眼の水晶体の後嚢の７５％〜９５％を覆うことを特徴とする請求項１１記載の方法。
【請求項１４】
前記少なくとも１つの支持プレートおよび前記光学機器が、前記眼の水晶体の後嚢の８０％〜９５％を覆うことを特徴とする請求項１１記載の方法。
【請求項１５】
前記少なくとも１つの支持プレートが、前記光学機器周辺に３６０°の連続境界を形成することを特徴とする請求項１１記載の方法。
【請求項１６】
前記少なくとも１つの支持プレートが、その角度の全範囲にわたり、１．０〜３．５ｍｍの半径寸法における幅を有することを特徴とする請求項１１記載の方法。
【請求項１７】
前記少なくとも１つのコネクタが、少なくとも２つのコネクタを含むことを特徴とする請求項１１記載の方法。
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
第１の回折領域と、
第１の回折領域とは異なる大きさの力を有する第２の回折領域と、
を含むＩＯＬであって、
前記第１の領域は、そこを通過して投影される第１の選択波長における実質的にすべての光を、単一の零次ではない回折次数に回折するように構成され、
前記第２の領域は、そこを通過して投影される第２の選択波長における実質的にすべての光を、単一の零次ではない回折次数に回折するように構成される、
ＩＯＬ。
【請求項２】
そこを通過して投影される第３に選択される波長における実質的にすべての光を、対応する単一の零次ではない回折次数に回折するように構成された、前記第１および前記第２の領域とは異なる大きさの力を有する第３の回折領域をさらに含むことを特徴とする請求項１記載のＩＯＬ。
【請求項３】
前記第１の領域および前記第２の領域が、対応する一次の回折次数に光を投影することを特徴とする請求項１記載のＩＯＬ。
【請求項４】
前記第１および第２の領域が同心円状に配置されることを特徴とする請求項１記載のＩＯＬ。
【請求項５】
前記ＩＯＬが１つ以上の支持部を含むことを特徴とする請求項１記載のＩＯＬ。
【請求項６】
前記ＩＯＬが、シリコーン、ＰＭＭＡ、折り畳み可能な親水性のアクリル、および折り畳み可能な疎水性のアクリルのうち少なくとも１種類を含む材料で作られることを特徴とする請求項１記載のＩＯＬ。
【請求項７】
前記第１および第２の領域と同心円状に存在する第３の領域をさらに含み、前記第１の領域、前記第２の領域、および前記第３の領域が短焦点および遠焦点の交互領域を形成することを特徴とする請求項４記載のＩＯＬ。
【請求項８】
前記第１の選択波長および前記第２の選択波長が、可視スペクトルにおける実質的に同一の波長であることを特徴とする請求項１記載のＩＯＬ。
【請求項９】
前記第１の選択波長および前記第２の選択波長が、可視スペクトルにおける同一の波長であることを特徴とする請求項１記載のＩＯＬ。
【請求項１０】
前記同一の波長が約５５５ｎｍであることを特徴とする請求項１記載のＩＯＬ。
【請求項１１】
前記第１の選択波長が、最大感度が生じる波長であり、
前記第１の領域が、前記第１の選択波長におけるピーク回折効率を有し、かつ、より短いまたはより長い波長の光を低効率で回折させるように設計される
ことを特徴とする請求項１記載のＩＯＬ。
【請求項１２】
ＩＯＬの第１の回折領域および第２の回折領域上に、選択波長の光を投影する工程であって、前記第１の領域が第１の回折屈折力を有し、前記第２の領域が前記第１の回折屈折力とは異なる大きさの第２の回折屈折力を有する工程と、
前記第１の領域上に投影された第１の選択波長の実質的にすべての光を、単一の零次ではない回折次数に回折する工程と、
前記第２の領域上に投影される第２の選択波長の実質的にすべての光を、単一の零次ではない回折次数に回折する工程と、
を有してなる、方法。
【請求項１３】
前記第１の選択波長および前記第２の選択波長が、可視スペクトルにおける実質的に同一の波長であることを特徴とする請求項１２記載の方法。
【請求項１４】
前記第１の選択波長および前記第２の選択波長が、可視スペクトルにおける同一の波長であることを特徴とする請求項１２記載の方法。
【請求項１５】
前記同一の波長が約５５５ｎｍであることを特徴とする請求項１４記載の方法。
【請求項１６】
前記第１の選択波長が、最大感度が生じる波長であり、
前記第１の領域が、前記第１の選択波長におけるピーク回折効率を有し、かつ、より短いまたはより長い波長の光を低効率で回折させるように設計される
ことを特徴とする請求項１２記載の方法。